(57)【要約】   パティオヒータダブルドーム赤外線ヒートリフレクタ／コンバータが開示される。このパティオヒータドームアタッチメントは、ドームアタッチメントとヒータの熱シールドとの間のエアギャップを維持しながら、ドームアタッチメントがヒータの熱シールドを覆うように従来型パティオヒータに取り付け可能である。このエアギャップを維持し、熱シールドとドームアタッチメントとの間を自由に流れることを防ぐためにドームアタッチメントに内蔵される好適な孤立した隆起または他の特徴がある。ドームアタッチメントは熱シールドとドームアタッチメントとの間にほとんど熱伝導が生じないよう、極めて低い熱負荷を組み入れ、これによりヒータのエネルギの大部分が使用領域に向かって反射される。最後に、ドームアタッチメントの周縁部は、パティオヒータの熱シールドの周縁部と概ね水平になるまで、少なくとも下方に延在する。【選択図】図２
2011522206.tif 000002
【特許請求の範囲】
【請求項１】
パティオヒータ用のアタッチメントであって、当該ヒータが、直立型のステムと、そこから上方に延在するバーナユニットと、当該バーナユニットの頂部に配置可能な周縁部によって規定される熱シールドとを有し、前記アタッチメントが、
前記熱シールドと間隔を空けて、ほぼ並んだ位置で前記熱シールドの頂部に取り付け可能なドーム部材を具えることを特徴とするアタッチメント。
【請求項２】
請求項１に記載のアタッチメントにおいて、前記ドーム部材の中央部分が、そこに形成される複数の孤立した突出部によって規定され、これらの隆起が、ある分離距離だけ前記ドーム部材から下方に突出していることを特徴とするアタッチメント。
【請求項３】
請求項２に記載のアタッチメントによって、前記ドーム部材が前記熱シールドの頂部に配置され、前記孤立した突出部が前記熱シールドに接触して、前記ドーム部材と前記熱シールドとの間に前記分離距離と概ね等しいギャップを提供することを特徴とするアタッチメント。
【請求項４】
請求項３に記載のアタッチメントにおいて、前記孤立した隆起は、前記ドーム部材の上面に凹部を、前記ドーム部材の下面に対応する凸部を形成するよう、前記ドーム部材の材料を変形させて前記ドーム部材に形成され、前記各凹部は、概ね平行に間隔を空けた３つの湾曲部を有することを特徴とするアタッチメント。
【請求項５】
請求項４に記載のアタッチメントにおいて、前記ドーム部材が、少なくとも１枚のアルミニウムの薄いシートからできており、前記シートが、５ミリの厚さより薄いことを特徴とするアタッチメント。
【請求項６】
請求項５に記載のアタッチメントにおいて、前記各湾曲部が、半径０．５インチの湾曲によって規定されることを特徴とするアタッチメント。
【請求項７】
請求項６に記載のアタッチメントにおいて、前記ドーム部材がさらに、前記ドーム部材の中央部に形成された開口を具えることを特徴とするアタッチメント。
【請求項８】
請求項１に記載のアタッチメントにおいて、前記ドーム部材の周囲形状は概ね円形であり、中央部分は湾曲していることを特徴とするアタッチメント。
【請求項９】
請求項１に記載のアタッチメントにおいて、前記ドーム部材の周囲形状は概ね方形および角錐形状であり、中央部分は湾曲していることを特徴とするアタッチメント。
【請求項１０】
請求項１に記載のアタッチメントにおいて、前記ドーム部材の周囲形状は概ね長円形であり、中央部分は湾曲していることを特徴とするアタッチメント。
【請求項１１】
パティオヒータであって、
縦型のステムと；
前記ステムから上方に延在するバーナユニットと；
前記バーナユニットの頂部の熱シールドと；
前記熱シールド上に並んだ位置のドーム部材とを具え、当該ドーム部材が、前記熱シールドおよび前記ドーム部材間のギャップを作り、維持するためにそこから下方に延在する少なくとも１つの孤立した突出物を有することを特徴とするパティオヒータ。
【請求項１２】
パティオヒータとヒートリフレクタとのコンビネーションであって、前記コンビネーションが：
直立型のステムと；前記ステムから上方に延在するバーナユニットと；前記バーナユニットの頂部の熱シールドとを有するパティオヒータを具え、
前記ヒートリフレクタが、前記熱シールド上に並んだ位置で配置された薄いドーム形状の部材を具え、前記ドーム部材が、前記熱シールドと前記ドーム部材との間のギャップを作り、維持するためにそこから下方に延在する少なくとも１つの孤立した突出物を有することを特徴とするコンビネーション。
【請求項１３】
請求項１２に記載のコンビネーションにおいて、前記ヒートリフレクタが、少なくとも１枚の薄いアルミニウムのシートからできており、当該シートが５ミリの厚さよりも薄いことを特徴とするコンビネーション。
【請求項１４】
請求項１３に記載のコンビネーションにより、前記ヒートリフレクタが前記熱シールドの頂部に配置され、前記孤立した突出物が前記熱シールドと接触し、前記ドーム部材と前記熱シールドとの間の分離距離と概ね等しいギャップを提供することを特徴とするパティオヒータ。
【請求項１５】
請求項１４に記載のコンビネーションにおいて、前記ヒートリフレクタがさらに、その中央部に形成された開口によって規定されることを特徴とするコンビネーション。
【請求項１６】
請求項１５に記載のコンビネーションにおいて、前記孤立した突出部は、前記ヒートリフレクタの上面に凹部を、前記ヒートリフレクタの下面に対応する凸部とを形成するよう、前記ヒートリフレクタの材料を変形させて前記ヒートリフレクタに形成され、前記各凹部は、概ね平行に間隔を空けた３つの湾曲部を有することを特徴とするコンビネーション。
【請求項１７】
請求項１６に記載のコンビネーションにおいて、前記各湾曲部が、半径０．５インチの湾曲部によって規定されることを特徴とするコンビネーション。
【請求項１８】
請求項１に記載のコンビネーションにおいて、前記ヒートリフレクタの周囲形状は概ね円形であり、中央部分は湾曲し、下方に凹んでいることを特徴とするコンビネーション。
【請求項１９】
請求項５に記載のアタッチメントにおいて、前記ドーム部材が、そこに形成された複数のしわを伸ばした部分によって規定され、前記しわを伸ばした部分が、前記ドーム部材に形成された複数の同心円状の縦溝を具えることを特徴とするアタッチメント。
【請求項２０】
請求項１５に記載のコンビネーションにおいて、前記ドーム部材が、そこに形成された複数のしわを伸ばした部分によって規定され、前記しわを伸ばした部分が、前記ドームに形成された複数の同心円状の縦溝を具えることを特徴とするコンビネーション。
【発明の詳細な説明】
【技術分野】
【０００１】
本発明は２００８年５月２９日に出願された米国仮出願番号第６１／１３０，２９２号の１年以内に出願され、優先権を主張する。
【背景技術】
【０００２】
本発明は、一般にアウトドアパティオ暖房装置に関し、特に、パティオヒータダブルドーム赤外線ヒートリフレクタ／コンバータに関する。
【０００３】
プロパン燃料のヒータは、野外スペースを暖めるのに普及している。多くのレストランや酒場は、夜の野外提供エリアを暖めるヒータを提供する。このようなホスピタリティ環境に用いられる典型的なヒータは、燃料用に５ガロンのプロパンガスを利用する大きな装置であるが本書に述べられる同様の課題は天然ガス燃料および電気ヒータに該当する。これらの「パティオ」ヒータの住宅用途は、家庭向けに理想的であるよう作られた、小型の卓上型で長年にわたり成長を遂げてきた。大きさ／寸法を除けば、卓上ユニットの構成要素はフルサイズモデルと基本的に比較可能である。図１は従来型（卓上）パティオヒータ１０の斜視図である。
【０００４】
パティオヒータ１０はベース１２を有し、その内部にプロパンガスボンベが含まれる。ステム１４はベース１２からバーナ１６へと上方に延在する。プロパンの流れはステム１４を通り、バーナ１６に燃料を供給する。おそらく安全性のため、バーナ１６の頂部は熱シールド１８によって覆われ、多くはガード２０によって囲まれる。この熱シールド１８は（一般に）円形の周縁部２４によって規定され、固定ナット２２（いくつかの他の締結システム）によって、バーナ１６に脱着可能に取り付けられる。
【０００５】
従来型パティオヒータ１０は、野外での時間を楽しんだり過ごしたりする間、個々の快適性を高めるのに大変手頃であるが、非効率性（燃料消費が大きい）に関する問題や燃料の燃焼に関する環境問題に悩まされる。自立型プロパンタンクより（天然ガスといった）固定燃料源を用いて利用可能なヒータがあるが、大抵のヒータ１０は携帯型の燃料源を用いる。卓上ユニットはパイプで送られる燃料源を具えるには小さすぎ、その配管は卓上ユニットの有用性には不都合であろう。大型モデルで、常設パイプで送られる燃料源が用いられる場合、ヒータの可搬性は失われる。
【０００６】
これらの理由のため、一体型タンクはパティオヒータ１０の最も有用な種類である。タンク型の欠点は使用可能な燃料の量が限られることである。結果的にヒータ１０および／またはバーナ１６の効率を上げる方法は、タンク内燃料の寿命を延ばすことであり、これによりタンクの交換回数を減らす。さらに、効率を上げて燃料消費を減らすことにより、活性プロパン燃料ヒータの数の増加に関する環境問題が軽減されることが期待される。
【発明の概要】
【０００７】
先のアタッチメントおよび装置に関連した前述の問題を考慮に入れると、本発明の目的は、パティオヒータダブルドーム赤外線ヒートリフレクタ／コンバータを提供することである。このパティオヒータドームのアタッチメントは、ドームアタッチメントが熱シールドとの間のエアギャップを維持しながらヒータの熱シールドを覆うように従来型パティオヒータに取り付け可能であるべきである。熱シールドとドームアッタチメントとの間のエアギャップを維持し、空気が自由に流れないように孤立した隆起または他の特徴がドームアタッチメントに作成されるべきである。ドームアタッチメントは熱シールドとドームアタッチメントとの間に熱伝導がほとんど起こらないような極めて低い熱負荷を実現し、これにより通常ヒータ上の空気に失われる熱エネルギが反射してバーナ領域、最終的には放射熱として使用領域に放射される。最後に、ドームアタッチメントの周縁部は、パティオヒータ熱シールドの周縁部と概ね水平面となるまで少なくとも下方に延在するべきである。
【図面の簡単な説明】
【０００８】
本発明の目的と特徴は新規であると確信されており、とりわけ添付の特許請求の範囲において実施される。本発明は、その構成および操作方法の双方に関して、さらに目的と効果とともに、添付の図面に関連して以下の説明を参照することにより最も良く理解することができる。
【図１】図１は、従来型のパティオヒータの斜視図である。
【図２】図２は、図１のヒータに取り付けられる本発明の好適な実施例の部分分解斜視図である。
【図３】図３は、図１および図２のアタッチメントおよびヒータの斜視図である。
【図４】図４は、図２および図３のアタッチメントの上面図である。
【図５】図５は、図２、図３および図４のアタッチメントの部分断面側面図である。
【図６】図６は、図２乃至図５の孤立した隆起の断面側面図である。
【図７】図７は、本発明の第２の好適な実施例の上面図である。
【図８】図８は、図７のアタッチメントのしわを伸ばした部分の部分断面側面図である。
【図９】図９は、図７のアタッチメントの孤立した窪みの部分断面側面図である。
【図１０】図１０は、図７のアタッチメントの外縁領域の部分断面側面図である。
【図１１】図１１は、本発明の第３の好適な実施例の上面図である。
【図１２】図１２は、図１１のアタッチメントのドーム部材の部分断面側面図である。
【発明を実施するための形態】
【０００９】
当業者が本発明を作成および利用できるようにし、その発明を実施する発明者が熟慮される最良の形態を実行できるように以下の記載が提供される。特に、パティオヒータダブルドーム赤外線ヒートリフレクタ／コンバータを提供するために、本発明の一般的な原理を本書に定義してきたので、当業者にとって様々な改良は容易に明らかであろう。
【００１０】
本発明は、図２の第１の考察により最もよく理解される。図２は図１のヒータ１０に取り付けられる本発明３０の好適な実施例の部分分解斜視図である。ダブルドームアタッチメント３０は、ヒータ１０の熱シールド１８上に近接して、その上方に取り付けられるよう設計される第２の部材である。記載されたヒータ１０のモデルにおいて、固定ナット２２は固定スタッド２６からねじって外され、アタッチメント３０がスタッド２６上に配置され、ナット２２が再度取り付けられる。
【００１１】
パティオヒータの製造者とモデルは、熱シールド１８をヒータ１０に固定するための様々なボルト配列を用いる。例えば従来型の１つは１つではなく３つのスタッドを用いる。これらの異なるボルト／スタッド配列は２〜３の方法で本発明により達成される。第１に、ドームアタッチメント３０はドームアタッチメントの中央領域に多数の開口が予め形成されている。第２に、予め形成された開口がヒータ１０のモデルと合わない場合、ユーザはダブルドームアタッチメント３０にカスタムの開口を形成することに関する説明書を有する。
【００１２】
別の効果において、今日および未来の市場で利用可能なパティオヒータ１０の考えられる事実上すべての種類が達成できるよう、ダブルドームアタッチメント３０は、（円形、四角形など）様々な形状および（小型、中型、大型）など様々な寸法で利用可能である。
【００１３】
ここで図３に戻ると、ヒータ１０およびダブルドームアタッチメント３０のコンビネーションとしての表示方法がわかる。図３は図１および図２のアタッチメント３０およびヒータ１０の斜視図である。図に示すように、固定ナット２２によって固定されると、ダブルドームアタッチメント３０は元の機器の熱シールド１８を完全に覆う。この効果において、アタッチメント３０は熱シールドから放射されて上昇する熱エネルギの相当量を収集、反射および再放射することがわかる。
【００１４】
図４は本発明のさらなる設計の詳細を示す。図４は図２および図３のアタッチメント３０の上面図である。最も簡易な形態において、ドーム部材３２はアルミニウム材の極めて薄いシートから作られる。極薄材料を用いるのはアタッチメント３０の熱量を最小限にするためである。熱量がとても低い場合、アタッチメント３０は多量の熱を残ることなくエネルギを反射および放出し、これにより別の放射熱源を作りだす。得られた熱エネルギの多くは放射部材に戻され、これにより熱シールド（図１を参照）からと同様に部材からの熱放射を増加させる。
【００１５】
ドーム部材３２用多層材を利用することにより、耐久性または審美性を向上させることができる。多層材は薄い単層材より硬質である傾向にあり、ロゴや他の模様を部材３２に型押しできるような装飾的オプションを提供する。このようなオプションは、単層型のドーム部材３２には限定された方法で利用可能であるが、多層型用にはさらなるオプションがある。
【００１６】
ドーム部材３２は燃焼ガスから上昇する熱を収集するよう熱シールド（図１を参照）よりいくぶん大きめであるべきである。熱シールドとドーム部材３２との間には約２センチのエアギャップがあることが望ましい。ダブルドーム部材３２の周縁部３４と（点線で示される）熱シールドの周縁部２４との間の張出し部３８は、ドーム部材３２の周縁部３４が熱シールドの周縁部２４と少なくとも（水平面において）同じ高さになるまで下方に延在するべきである。前述のように、中央の開口３６はそこを通るパティオヒータの固定スタッドを受けるために設けられる。開口３６が必要でない場合、開口３６をカバーするためにキャップがユーザに提供されてもよい。
【００１７】
アタッチメント３０の効率を最大にするために、上記では（約２センチ）熱シールドの上面とアタッチメント３０の下面との間にわずかな間隙がなければならない。この間隙はドーム部材３２の下面から下方に延在する部材によって作られる。記載された種類において、これらのスペーサ部材は孤立した隆起４０Ａ乃至４０Ｆである。孤立した隆起４０Ａ乃至４０Ｆの各々はドーム部材のクリップ部であり、熱シールドの上面に面して配置され、（導電を最小限にするために）わずかな物理的接触量でドーム部材と熱シールドとの間のエアギャップを維持する。（例えば４０Ａなどの）孤立した隆起設計の下端の構造は、水および他のごみを逃がすことができるように丸いのではなく面取りした円錐形状の一部である。本書では６つの孤立した隆起４０Ａ乃至４０Ｆがあり、別の種類ではより少ない隆起４０Ａ乃至４０Ｆが提供されてもよい。
【００１８】
孤立した隆起４０Ａの設計は、熱シールドとアタッチメント３０との間に適切な間隔を維持するために、アタッチメント３０によって提供される構造の一種にすぎない。クリップ、ブランケット、ペグまたは他の装置がまた代替的に用いられる。
【００１９】
最後に、孤立した隆起の詳細をより綿密に考察するために図５および図６に戻る。図５は図２、図３および図４のアタッチメント３０の部分断面側面図である。図６は孤立した隆起４０Ｅの断面図である。
【００２０】
記載されるように、孤立した隆起４０Ｅはドーム部材３２に打ち込まれ、あるいは形成される複数の湾曲部４２により形成される。湾曲部４２は半径Ｒ１およびＲ２により規定される。Ｒ１およびＲ２はドーム３０の異なる設計のため異なってもよく、インスタント例（instant example）ではそれらは互いに同じである。本書ではＲ１およびＲ２はときに滑らかな隆起４０Ｅを形成するために０．５（２分の１）インチである。
【００２１】
隆起４０Ｅは、熱シールドの形状を厳密に反映するドーム部材３２の放物線または球形に合致するように輪郭形成される。事実上、すべての熱シールドがこれらの形状に基づくことが観察されてきたが、他の形状が入手可能となるか、市場に出た場合には、新しい形状の外形に合致するダブルドームアタッチメント３０が提供されることになる。またドーム部材３２用に選択される材料は、熱シールド（図１を参照）の形状を反映するようユーザによって形成されうる種類であるよう選択される（おそらくエンドユーザによって適合するよう形成されるか、整えられる）。
【００２２】
以下の表１は、本発明のダブルドームアタッチメント３０の設置前および設置後の、従来型４０，０００ＢＴＵパティオヒータ用のテストデータを示す。
＊すべての可能な配慮が、測定値を正確に維持し、変数が制御されるようになされたことに注目されたい。テストは室温華氏５８度の穏やかなコンディションのもと「エンドレスサマー」（商標）４０，０００ＢＴＵパティオヒータを用いて行われた。
これらのテストは、磨かれていない０．０２５インチのアルミニウムシートでできた原型ダブルドームおよびヒートディレクタを用いて行われた。より薄いおよび／またはより反射するアルミニウムはより効果的である。
最高の原料温度での燃料節約パーセンテージ
2011522206.tif 000003
＊＊ガスの節約量は、設置された装置の線上に最大消費温度での最高の原料温度からグラフを交差し水平線を描くことにより計算される。その温度でのガス消費量をその装置原料を用いて６．５（その温度での最大ガス消費量）で割り、その温度での「原料」消費のパーセンテージを得る。１００％―消費されたパーセンテージ＝節約されたパーセンテージ。計算のため以下の記載を参照のこと。
【００２３】
計算メモ：
放射コレクタで温度により節約された燃料パーセンテージ：
Ｗ／ドームのガス節約パーセンテージ
４．６（０．０４６ｍ３／分）／６．５（０．０６５ｍ３／分）＝７１％消費、１００％−７１％＝２９％燃料節約
バーナホルダの上面での温度により節約された燃料パーセンテージ：
Ｗ／ドームのガス節約パーセンテージ
４．３（０．０４３ｍ３／分）／６．５（０．０６５ｍ３／分）＝６６％消費、１００％−６６％＝３４％燃料節約
2011522206.tif 000004
【００２４】
本書に示されるように、高および低位置双方でのダブルドームアタッチメント３０の設置後、ヒータは実際には極めて高温を生成した。ユーザは、燃料の流れを２５乃至３０パーセントまでヒータに戻るよう絞りを選択しても、それほど絞りを戻さない未調節のヒータの使用領域に出力されるのと同じ放射熱を享受できる。従って、燃料タンクは従来型のスタンダードなヒータより長く、２５パーセント乃至３０パーセント持続することが期待され、少ない燃料消費と少ないカーボン放出という環境への恩恵を提供するであろう。
【００２５】
本発明のアタッチメント３０の第２の好適な実施例が図７に示されており、これは本発明の上面図である。アタッチメント３０のこの種類のドーム３２は（好適には０．００６乃至０．００８インチの厚さの範囲にある）とても薄いアルミニウムからできており、明るく、輝くような仕上げが施されている。孤立した隆起（前述の図を参照）の代わりに、この種類３０はドーム３２の周りに分散された複数の孤立した窪み７２を有する。（記載されない）バージョンは（隆起形状、窪み形状、または他の形状などの）様々な孤立した突起物を有してもよい。
【００２６】
この実施例３０は平らに収まるよう設計され、ユーザがヒータ（図１および図２を参照）上に配置し、熱シールド（図１および図２を参照）の形状に適合するまで下に引っぱることができる。この機能はドーム３２が、交互にしわを伸ばした部分７４と滑らかな部分７５を有するよう構成されるため可能となる。孤立した窪み７２は滑らかな部分７５に形成される。しわを伸ばした部分７４は、同心円状の「波」または、必要に応じて、ユーザがドーム３２の外形を再成形できるようにそれらに形成された縦溝（crease)を有する。
【００２７】
ドーム部材３２から脱着可能であるよう設計された中央の窪み７３がある。基本的に中央の窪み７３は、立体的に飛び出しうる底面を有する孤立した窪み７２である。いくつかのヒータは中央のアタッチメントボルト（図２を参照）を有さず、いくつかは有するので、この設計は幅広い種類のパティオヒータ（図１および図２を参照）に適合する。図１０の記載と関連して以下に記載されるように、中央のアタッチメントボルトがヒータ（図１および図２を参照）上に存在しようとしまいと、アタッチメント３０はアタッチメント３０の外側端部から下方に延在する複数の固定クリップ７０によって熱シールド（図２を参照）に（少なくとも一部において）保持される。
【００２８】
この例示的な種類３０はまた、さらなる補強強度を各固定クリップ７０に提供するために、ドーム部材３２の外側端部に取り付けられる補強クリップ８５も有する。図１０は断面側面図でのこれらの補強クリップ８５を示す。
【００２９】
図８は、図７のアタッチメントのしわを伸ばした部分７４の部分断面側面図である。図示するように、部分７４は、ドーム部材（図７を参照）が「伸長」および圧縮して熱シールド（図２を参照）に適合できる一連の円形、同心円状の縦溝７６でできている。これらの縦溝７６は滑らかな湾曲部からなり、必要に応じて、他の形状からなりうる。
【００３０】
図９は、図７のアタッチメントの孤立した窪み７２の部分断面側面図である。基本的に、孤立した窪み７２は、孤立した隆起（図４および図６を参照）と同様の形状を有するが、細長の隆起ではなく円形の形状である。窪み７２は隆起（図４および図６を参照）と同じ機能を提供する。
【００３１】
最後に、図１０は、図７のアタッチメントの外側端部領域の部分断面側面図である。アタッチメントクリップ７０はドーム部材３２の外側端部から内側に延在し、固定クリップのアタッチメントを補強するために補強クリップにより覆われる折り曲げ可能な細長い金属片である。図示するバージョンでは、ドーム部材３２の外側端部に形成される折り目８０内に獲えられる周辺リング安定器７８がある。このリング安定器７８は十分に耐久性があり、風あるいは他の荒れ模様の天候の影響を受けないようドーム部材３２を補強するために設けられている。
【００３２】
クリップ７０はリング安定器７８周りに形成される折り目８０内に捕えられ、外側クリップまたは外側リングを用いて補強される。クリップ７０は熱シールド（図１および図２を参照）の表面下に適合するよう曲げられ、アタッチメント（図７を参照）を適所にしっかりと保持することができる。
【００３３】
図１１および図１２は本発明のアタッチメント３０の第３の実施例を示す。図１１は第３の実施例３０の上面図であり、図１２はこの種類３０のドーム部材３２の部分断面側面図である。ここでは、窪み７２は図４に示されるものと図８に示されるものとの混成物の種類として形成され、すなわち、それらは円形というよりいくぶん細長である。また、窪み７２の下面は侵入する水などの排水を促進するために、いくぶん平らにされた下面となっている。
【００３４】
このバージョン３０における別の特徴はドーム部材３２の中心から様々な異なる距離で複数の中央の窪み７３があることである。これらの窪み７３の各々は、必要に応じて、その中を通る（すなわち、パティオヒータから−図１および図２を参照）取り付けボルトを収容するために下方突出するドームを有する。
【００３５】
最後に、図１２に示されるように、この種類３０の滑らかな部分７５は、ドーム部材３２の中心の滑らかな部分と、同じ輪郭に曲げられる。しわを伸ばした部分７４は、ドーム部材３２が平らな状態にある場合（示されるように）傾斜するが、アタッチメント３０がパティオヒータ（図１および図２を参照）に取り付けられる場合、熱シールド（図１および図２を参照）に適合するよう輪郭形成される。
【００３６】
ここで記載された好適な実施例の様々な改造と変更が本発明の範囲と精神から逸脱することなく構成されうることは、当業者には明らかである。したがって、添付のクレームの範囲内で、発明は、本書に具体的に記載される以外に実施されてもよいことを理解されたい。
【図１】
2011522206.tif 000005
【図２】
2011522206.tif 000006
【図３】
2011522206.tif 000007
【図４】
2011522206.tif 000008
【図５】
2011522206.tif 000009
【図６】
2011522206.tif 000010
【図７】
2011522206.tif 000011
【図８】
2011522206.tif 000012
【図９】
2011522206.tif 000013
【図１０】
2011522206.tif 000014
【図１１】
2011522206.tif 000015
【図１２】
2011522206.tif 000016
【国際調査報告】
2011522206.tif 000017
2011522206.tif 000018
2011522206.tif 000019